(57)【要約】【課題】安定して上側に他物を載置し、或いは、複数の有孔ブロックを積層することができる有孔ブロックを提供する。【解決手段】複数の孔を備えた上壁２１ａと、上壁２１ａに接続する一対の側壁２１ｂと、側壁２１ｂに接続する底壁２１ｃとによって囲まれると共に、孔に連通する内部空間を備えた有孔ブロック２０において、一対の側壁２１ｂと接続しない上壁２１ａの二辺のうち少なくとも一辺の近傍に設けられ、凸部、凹部、切欠部またはこれらの二以上の組み合わせからなる上側固定部２６、および、一対の側壁２１ｂと接続しない底壁２１ｃの二辺のうち少なくとも一辺の近傍に設けられ、有孔ブロック同士を上下方向に載置したときに、下側の有孔ブロック２０の上側固定部２６と係合又は嵌合する下側固定部２７とを有する。【選択図】図３
2010222819.tif 000002
【特許請求の範囲】
【請求項１】
複数の孔を備えた上壁と、前記上壁に接続する一対の側壁と、前記側壁に接続する底壁とによって囲まれると共に、前記孔に連通する内部空間を備えた有孔ブロックにおいて、
前記一対の側壁と接続しない前記上壁の二辺のうち少なくとも一辺の近傍に設けられ、凸部、凹部、切欠部またはこれらの二以上の組み合わせからなる上側固定部、および、前記一対の側壁と接続しない前記底壁の二辺のうち少なくとも一辺の近傍に設けられ、有孔ブロック同士を上下方向に載置したときに、下側の有孔ブロックの前記上側固定部と係合又は嵌合する下側固定部とを有する有孔ブロック。
【請求項２】
前記底壁が、有孔ブロック同士を上下方向に載置するときに下側の有孔ブロックにおける前記上壁と水平方向を保持して当接する当接壁部と、当該当接壁部から上向きの傾斜で前記側壁に接続する傾斜壁部とを備える請求項１に記載の有孔ブロック。
【発明の詳細な説明】
【技術分野】
【０００１】
本発明は、上水・用水・工業用水・生活廃水・工業廃水等などの被処理水に含まれる懸濁物などの被除去物を除去する水処理設備において、被除去物が除去された処理水を集水する集水装置で使用される有孔ブロックに関する。
【背景技術】
【０００２】
集水装置では、例えば粒状媒体を充填して濾過層（処理層）を備えて当該懸濁物を除去する濾過手段（除去手段）を支持し、濾過層を通過して懸濁物が除去された処理水を集水する有孔ブロックを備える（例えば特許文献１）。
【０００３】
有孔ブロックは、中空の断面が略矩形となる外壁（上壁・側壁・底壁）、および、当該外壁の内部において略逆Ｖ字形断面となる傾斜内壁が設けてある。この傾斜内壁により、有孔ブロックの内部空間を中央流通部および当該中央流通部の両側に位置する側方流通部に仕切っている。上壁の上方部および側方流通部、並びに、側方流通部および中央流通部はそれぞれ孔部を介して連通している。
【０００４】
濾過層には、砂利・珪砂・アンスラサイト・粒状活性炭などの粒状媒体が充填してあり、被処理水を濾過手段の上方より下向流で濾過層に通水すると、被処理水中に含まれる懸濁物が濾過層によって除去される。濾過層を通過して懸濁物が除去された処理水は、重力の作用により有孔ブロックの上壁に設けた上壁孔部を介して側方流通部に流入し、さらに側方流通部から中央流通部に流入することにより集水される。
【０００５】
特許文献２，３には、有孔ブロックに載置する多孔部材が記載してある。当該多孔部材は、粒状媒体を通過させることなく濾過層を支持するように寸法決めされた孔を有する多孔質の板状部材である。これにより、有孔ブロックの上壁に設けた孔の径を大きく設定した場合であっても、当該孔から有孔ブロックの内部空間に粒状媒体が侵入するのを防止することができる。
特許文献２，３の多孔部材においては、その二つの長辺のエッジを、上壁の長辺方向に沿って起立した一対のリブに形成した段部にそれぞれ嵌め込むことで位置決めされる。
【先行技術文献】
【特許文献】
【０００６】
【特許文献１】特開２００４−３４６５７４号公報
【特許文献２】特公平６−６１４１１号公報
【特許文献３】特許第３０５３８７０号
【発明の概要】
【発明が解決しようとする課題】
【０００７】
多孔部材を前記段部に嵌め込むことで、当該多孔部材がその短辺方向において位置ズレしないように位置決めできる。しかし、上壁の短辺方向に沿って起立したリブによっては長辺方向に位置決めされないため、その長辺方向に沿って位置ズレする虞があった。
【０００８】
また、有孔ブロックを保管する際、複数の有孔ブロックを上下方向に積層する場合がある。このとき、通常、下側の有孔ブロックにおける上壁の一対のリブの上面に形成した段部に、上側の有孔ブロックの底壁を当接させる。当該段部の上面幅は狭いため、振動などにより積層された上側の有孔ブロックが前記短辺方向に沿って位置ズレして、底壁のエッジが段部の上面から落下して当該有孔ブロックが傾く虞がある。このような傾きが積層した複数の有孔ブロックに亘って発生すれば、積層した有孔ブロックが倒れる虞があり、危険である。
【０００９】
従って、本発明の目的は、安定して上側に他物を載置し、或いは、複数の有孔ブロックを積層することができる有孔ブロックを提供することにある。
【課題を解決するための手段】
【００１０】
上記目的を達成するための本発明に係る有孔ブロックは、複数の孔を備えた上壁と、前記上壁に接続する一対の側壁と、前記側壁に接続する底壁とによって囲まれると共に、前記孔に連通する内部空間を備えた有孔ブロックにおいて、前記一対の側壁と接続しない前記上壁の二辺のうち少なくとも一辺の近傍に設けられ、凸部、凹部、切欠部またはこれらの二以上の組み合わせからなる上側固定部、および、前記一対の側壁と接続しない前記底壁の二辺のうち少なくとも一辺の近傍に設けられ、有孔ブロック同士を上下方向に載置したときに、下側の有孔ブロックの前記上側固定部と係合又は嵌合する下側固定部とを有する点にある。
【００１１】
有孔ブロックは、保管時には複数の有孔ブロックを上下方向に積層することがある。また、集水装置の施工時には、有孔ブロックの上面に多孔部材を載置することがある。基準となる有孔ブロックの上面に載置する他物を「上側他物」とし、当該有孔ブロックの下方に位置する他物を「下側他物」と称する。
本構成では、上側他物が有孔ブロックのとき、上側の有孔ブロックにおける下側固定部と、下側の有孔ブロックにおける上側固定部とが係合又は嵌合可能な位置に配設されるため、保管時に複数の有孔ブロックを積層すると、上側の有孔ブロックにおける下側固定部と、下側の有孔ブロックにおける上側固定部とが確実に係合又は嵌合する。これにより、下側の有孔ブロックに対して上側の有孔ブロックを確実に位置決めした状態で鉛直方向に真っ直ぐ積層することができる。
また、上側固定部と下側固定部とが係合又は嵌合することで、下側の有孔ブロックの上壁面上で上側の有孔ブロックが移動するのを防止又は制限するため、仮に振動が発生した場合であっても、積層された上側の有孔ブロックが上壁の一対の側壁と接続しない辺の方向（以後「短辺方向」と呼ぶ）および一対の側壁と接続する辺の方向（以後「長辺方向」と呼ぶ）に位置ズレし難くなり、積層姿勢が安定する。
【００１２】
また、本構成では、上側他物が多孔部材のとき、多孔部材を上側固定部と係合又は嵌合可能に構成すれば、有孔ブロックに対して多孔部材を確実に位置決めした状態で配設することができる。よって、上壁の短辺方向および長辺方向に位置ズレし難くなる。
【００１３】
このように、本発明の有孔ブロックは、異なる上側他物を共通の部材（上側固定部）で確実に位置決めした状態でその上面に載置することができる。
【００１４】
本発明に係る有孔ブロックの第二特徴構成は、前記底壁が、有孔ブロック同士を上下方向に載置するときに下側の有孔ブロックにおける前記上壁と水平方向を保持して当接する当接壁部と、当該当接壁部から上向きの傾斜で前記側壁に接続する傾斜壁部とを備えた点にある。
【００１５】
本構成によれば、複数の有孔ブロックを積層したとき、当接壁部は下側の有孔ブロックにおける上壁と水平方向を保持して当接することができるため、上側の有孔ブロックの姿勢が安定する。また、当接壁部から上向きの傾斜で側壁に接続する傾斜壁部は当該上壁とは当接しないため、下側の有孔ブロックの上壁と干渉しないように積層することができ、積層作業が行い易くなる。
【図面の簡単な説明】
【００１６】
【図１】集水装置の概略を一部切欠で示す斜視図である。
【図２】本発明の有孔ブロックの斜視図である。
【図３】上側他物が他の有孔ブロックである場合の斜視図である。
【図４】上側他物が多孔部材である場合の斜視図である。
【図５】有孔ブロックを積層したときの断面概略図である。
【発明を実施するための形態】
【００１７】
以下、本発明の実施例を図面に基づいて説明する。
本発明の有孔ブロックは、上水・用水・工業用水・生活廃水・工業廃水等などの被処理水に含まれる懸濁物などの被除去物を除去する水処理設備Ｙにおいて、被除去物が除去された処理水を集水する集水装置Ｘで使用される（図１）。
【００１８】
図１〜５に示すように、当該有孔ブロック２０は、粒状媒体１２を充填した処理層１１の上方より下向流で被処理水を通水して被処理水中に含まれる被除去物を処理層１１によって除去する除去手段１０を多孔部材６０を介して支持する上壁２１ａと、上壁２１ａに接続する一対の側壁２１ｂと、側壁２１ｂに接続する底壁２１ｃとによりその外周を囲まれ、断面視が略矩形の筒状に形成され、処理層１１を通過して被除去物が除去された処理水を中空の内部空間に集水する。
この有孔ブロック２０は、一対の側壁２１ｂと接続しない上壁２１ａの二辺のうち少なくとも一辺の近傍に設けられ、凸部、凹部、切欠部またはこれらの二以上の組み合わせからなる上側固定部２６、および、一対の側壁２１ｂと接続しない底壁２１ｃの二辺のうち少なくとも一辺の近傍に設けられ、有孔ブロック同士を上下方向に載置したときに、下側の有孔ブロックの上側固定部２６と係合又は嵌合する下側固定部２７とを備える。
【００１９】
（除去手段）
本実施形態における除去手段１０は、濾過処理によって被処理水中に含まれる被除去物を除去するものとして説明する。したがって、処理層１１は濾過層となる。しかし、このような態様に限られるものではなく、生物処理によって被処理水中に含まれる被除去物を除去することも可能である。この場合、処理層１１は生物処理層となり、例えば粒状媒体１２の表面に被除去物を生物的に分解する微生物を担持させておく。
【００２０】
処理層１１には、珪砂・アンスラサイトなどの粒状媒体１２を充填している。本実施形態では、二層の処理層１１を設けており、最下層から順に珪砂層１１ａ・アンスラサイト層１１ｂを配設している。当然ながら、処理層１１の構成はこれに限定されるものではなく、他の構成としても構わない。
【００２１】
このように構成した処理層１１に対して、除去手段１０の上方に設けた排水トラフ５０より被処理水を給水して処理層１１を通過させることにより、被処理水中に含まれる被除去物が処理層１１によって除去される。なお、排水トラフ５０経由ではなく直接被処理水が供給される場合も有る。
【００２２】
（有孔ブロック）
有孔ブロック２０は除去手段１０の下方に配置して除去手段１０を支持する。除去手段１０と有孔ブロック２０との間には、多孔部材６０を配設してある。
【００２３】
有孔ブロック２０は、中空で断面が略矩形となる外壁２１（上壁２１ａ・側壁２１ｂ・底壁２１ｃ）を設ける。底壁２１ｃは、有孔ブロック同士を上下方向に載置するときに下側の有孔ブロックにおける上壁２１ａと水平方向を保持して当接する当接壁部２１ｃ１と、当該当接壁部２１ｃ１から上向きの傾斜で側壁２１ｂに接続する傾斜壁部２１ｃ２とを備える。有孔ブロック２０の内部空間には、当該外壁２１の内側に接続して有孔ブロック２０の内部空間を複数の空間に分割する傾斜内壁２２が設けてある。
【００２４】
有孔ブロック２０は、耐食性・耐圧性に優れた材質であれば、何れの材料で形成しても構わない。例えば、高密度ポリエチレンの発泡成形で成形すれば軽量化することができるため、運搬や施工面で作業性がよく、好適である。
【００２５】
上壁２１ａは、除去手段１０の下面に直接接触して、或いは、多孔プレート６０を介して間接的に除去手段１０を支持している。側壁２１ｂは上壁２１ａに接続する一対の対向する壁であり、底壁２１ｃは一対の側壁２１ｂに接続する。また、傾斜内壁２２は、その断面が略逆Ｖ字形となるように形成している。これにより、有孔ブロック２０の内部空間を、中央流通部Ａと当該中央流通部Ａの両側に位置する側方流通部Ｂとに仕切っている。このように、有孔ブロック２０の内部空間は、傾斜内壁２２によって三つの空間に分割されるが、この態様に限られるものではない。
【００２６】
上壁２１ａの上方部および側方流通部Ｂは、上壁２１ａに形成した複数の上壁孔部ａ１を介して連通している。また、側方流通部Ｂおよび中央流通部Ａは、傾斜内壁２２に形成した第一内壁孔部ｂ１、第二内壁孔部ｂ２および第三内壁孔部ｂ３を介して連通している。処理層１１を通過して被除去物が除去された処理水は、重力の作用により、多孔プレート６０を通過した後に上壁孔部ａ１を介して側方流通部Ｂに流下し、さらに第一内壁孔部ｂ１、第二内壁孔部ｂ２および第三内壁孔部ｂ３を介して中央流通部Ａに流下して集水される。処理水は、有孔ブロック２０の底壁２１Ｃに形成した底壁開口部（図示せず）を経て有孔ブロック２０の下方に設けたフリューム７０を流下して、或いは、中央流通部Ａに接続する配管（図示せず）を流下して、所定の貯水槽に搬送される。
【００２７】
上壁２１ａの上面には、側壁２１ｂから延設する上壁第一リブ部２３ａ、上壁第一リブ部２３ａに平行な上壁第二リブ部２３ｂ、および、上壁第一リブ部２３ａと垂直に交差する上壁第三リブ部２３ｃが設けてある。本実施形態では、二本の上壁第一リブ部２３ａ、一本の上壁第二リブ部２３ｂ、十本の上壁第三リブ部２３ｃをそれぞれ形成した場合を示すが、これに限られるものではない。
これらリブ部２３ａ〜２３ｃによって、上壁２１ａの上面を複数の区画に分割してある。これらリブ部２３ａ〜２３ｃを設けることで上壁２１ａの耐圧性を強化することができ、除去手段１０の荷重による上壁２１ａの撓みを防止できる。
【００２８】
上壁第一リブ部２３ａには、その上面に、長辺方向に亘って段部２５を配設する。本実施形態では、段部２５は断続的に複数設ける場合を示すが、一本の段部２５を長辺方向に亘って設けてもよい。この段部２５は、対向する二本の上壁第一リブ部２３ａにそれぞれ設けて、対向する段部２５の間に多孔部材６０を嵌め込む。これにより、多孔部材６０が上壁２１ａの短辺方向に位置ズレしないように位置決めできる。
【００２９】
側壁２１ｂには、当該側壁２１ｂを強化するための側方リブ２４を形成してある。側方リブ２４は、水平方向に伸延する水平側方リブ２４Ａ、および、垂直方向に伸延する垂直側方リブ２４Ｂとすることができる。
【００３０】
上壁２１ａの短辺には、上側他物Ｔ１と係合する上側固定部２６が備えてある（図３）。上側固定部２６の形状は凸状リブを例示するが、これに限定されず、凹状の窪みや切欠、またはこれらの二以上の組み合わせた構成であってもよい。
底壁２１ｃの短辺には、下側他物Ｔ２と係合又は嵌合する下側固定部２７が備えてある。下側固定部２７は、上側固定部２６を設けた上壁２１ａの短辺に対応する底壁２１ｃに形成する。下側固定部２７の形状は凹部を例示するが、これに限定されず、上側固定部２６と係合又は嵌合する形状であればよい。例えば、上側固定部２６を凹状としたときには下側固定部２７を凸状リブとすることも可能である。
本発明では、上側固定部２６は当該短辺の近傍に設けるが、「近傍」とは、当該短辺およびその周辺を指すものとする。下側固定部２７についても同様である。
本実施形態では、上側固定部２６および下側固定部２７は、上壁２１ａの短辺のうち一辺のみに備えた場合を示すが、二辺に備えてもよい。また、本実施形態では、上側固定部２６および下側固定部２７はそれぞれ一辺に一箇所備えているが、一辺に複数箇所備えてもよい。
【００３１】
有孔ブロック２０は、保管時には複数の有孔ブロックを鉛直方向に積層することがある。また、集水装置Ｘの施工時には、有孔ブロック２０の上面に多孔部材６０を載置する。本明細書では、基準となる有孔ブロック２０の上面に載置する他物を「上側他物Ｔ１」と称する。当該上側他物Ｔ１は、他の有孔ブロック２０や多孔部材６０に限られるものではない。
一方、複数の有孔ブロックを積層した場合、基準となる有孔ブロック２０の下方に位置する他物を「下側他物Ｔ２」と称する。当該下側他物Ｔ２は、有孔ブロック２０に限られるものではない。
【００３２】
上側他物Ｔ１が他の有孔ブロック２０'のとき、上側の有孔ブロック２０'における下側固定部２７と、下側の有孔ブロック２０における上側固定部２６とが係合可能な位置に配設してある（図３）。
【００３３】
本実施形態では、上側固定部２６および下側固定部２７は、前記短辺の幅方向の中央位置に配設してある。この態様で保管時に複数の有孔ブロック２０を積層すると、上側の有孔ブロック２０'における下側固定部２７と、下側の有孔ブロック２０における上側固定部２６とが、前記短辺の幅方向の中央位置で係合する。これにより、下側の有孔ブロック２０に対して上側の有孔ブロック２０'を確実に位置決めした状態で上下方向に真っ直ぐ積層することができる。
上側の有孔ブロック２０'における下側固定部２７（凹部）と、下側の有孔ブロック２０における上側固定部２６（凸状リブ）とが係合すれば、下側の有孔ブロック２０における上壁２１ａ面上での短辺方向への移動を防止でき、長辺方向への移動が制限できるため、上側の有孔ブロック２０'の位置ズレを制限できる。
【００３４】
上側固定部２６および下側固定部２７の配設位置については、例えば上側固定部２６を前記中央位置より所定距離だけずらした位置に配設したとき、下側固定部２７も同様に前記中央位置より所定距離だけずらした位置に配設すれば、複数の有孔ブロックを鉛直方向に真っ直ぐ積層することができる。
【００３５】
上側他物Ｔ１が多孔部材６０のとき、上側固定部２６が多孔部材６０と係合する（図４）。
このとき、上側固定部２６は、多孔部材６０の側に設けた多孔部材係合部６１と前記短辺の幅方向の中央位置で係合する。従って、有孔ブロック２０に対して多孔部材６０を確実に位置決めした状態で配設することができるため、多孔部材６０が上壁２１ａ面上で短辺方向に移動するのを防止でき、長辺方向に移動するのを制限できるため、位置ズレし難くなる。
【００３６】
このように、本発明の有孔ブロック２０は、異なる上側他物Ｔ１（他の有孔ブロック２０’および多孔部材６０）を、共通の部材（上側固定部２６）で確実に位置決めした状態でその上面に載置することができる。
【００３７】
本実施形態では、対向する段部２５および上側固定部２６の三部材によって、多孔部材６０をより確実に位置決めしている。
さらに、本実施形態では、底壁２１ｃが当接壁部２１ｃ１と傾斜壁部２１ｃ２とを備える。複数の有孔ブロック２０を積層したとき、当接壁部２１ｃ１は、下側の有孔ブロック２０における上壁２１ａの上壁第二リブ部２３ｂおよび上壁第三リブ部２３ｃと当接することで水平方向を保持することができ、上側の有孔ブロック２０’の姿勢が安定する。また、当接壁部２１ｃ１から上向きの傾斜で側壁２１ｂに接続する傾斜壁部２１ｃ２は当該上壁２１ａとは当接しないため、下側の有孔ブロック２０の上壁２１ａの段部２５と干渉しないように積層することができ、積層作業が行い易くなる。
本実施形態では、上側の有孔ブロック２０’における底壁２１ｃの当接壁部２１ｃ１と、下側の有孔ブロック２０の上壁２１ａとの当接態様を格子線状とすることで、上側の有孔ブロック２０’の姿勢を安定化している。しかし、当接態様はこれに限らず、例えば、面状や複数の点状など、当該姿勢を安定化できるものであればよい。
【００３８】
（多孔部材）
多孔部材６０は、粒状媒体１２を通過させることなく濾過層１１を支持するように寸法決めされた孔を有する板状部材である。
多孔部材６０は、前記リブ部２３ａ〜２３ｃの上面に載置するか、或いは、各区画に配設するとよい。多孔部材６０は、タッピングネジによって前記リブ部２３ａ〜２３ｃ或いは上壁２１ａに固定する。多孔部材６０は、例えば、直径数ｍｍのビーズを多数接合して構成するとよい。当該ビーズとしては、ポリオレフィン等のプラスチックの他、セラミック、焼結金属等が使用可能である。
【００３９】
〔別実施形態〕
上述した実施形態では、上壁第一リブ部２３ａには、その上面に、長辺方向に亘って段部２５を配設した場合について説明した。当該段部２５は、多孔部材６０が上壁２１ａの短辺方向に位置ズレしないように位置決めできる。しかし、上側の有孔ブロック２０'における下側固定部２７（凹部）と、下側の有孔ブロック２０における上側固定部２６（凸状リブ）とが係合すれば、上壁２１ａの短辺方向および長辺方向への位置ズレを防止できるため、段部２５は省略してもよい。
【産業上の利用可能性】
【００４０】
本発明は、上水・用水・工業用水・生活廃水・工業廃水等などの被処理水に含まれる懸濁物などの被除去物を除去する水処理設備において、被除去物が除去された処理水を集水する集水装置で使用される有孔ブロックに利用できる。
【符号の説明】
【００４１】
２０（２０’）      有孔ブロック
２１ａ              上壁
２１ｂ              側壁
２１ｃ              底壁
２１ｃ１            当接壁部
２１ｃ２            傾斜壁部
２６                上側固定部
２７                下側固定部
ａ１                上壁孔部
【図１】
2010222819.tif 000003
【図２】
2010222819.tif 000004
【図３】
2010222819.tif 000005
【図４】
2010222819.tif 000006
【図５】
2010222819.tif 000007